(57)【特許請求の範囲】
【請求項１】
キャビネット前面から取り込んだ空気をキャビネット背面及び／又はキャビネット上面から排出する機器収容用のキャビネットを、床面を冷却用空気の吹き出し部とした通路を介して前記キャビネット前面どうしを対向する向きで列状に並べて設置してなるキャビネット群と、
前記キャビネット群の各列に対応して天井吊り下げ方式で設けられるとともに、前記キャビネット群の列ごとに前記キャビネットの上方に前記キャビネット前面に沿って並行に設けられた支持体と、
前記通路を介して対向する２列のキャビネット群に対応する前記支持体に取り付けられるとともに、前記通路に冷却のための遮蔽空間を形成する遮蔽手段と、
前記床面の吹き出し部から吹き出される前記冷却用空気を給気するとともに、前記キャビネット背面及び／又はキャビネット上面から排出される空気をレターン空気として取り込む空調機とを備え、
前記遮蔽手段は、前記２列のキャビネット群に対応する前記支持体のうち、一方の列の支持体から第１のキャビネットに向けて垂直に垂れ下がる第１の垂下体と、他方の列の支持体から第２のキャビネットに向けて垂直に垂れ下がる第２の垂下体と、前記一方の列の支持体と前記他方の列の支持体との間に架け渡された水平張架部とを有する
ことを特徴とする空調システム。
【請求項２】
前記第１の垂下体及び前記第２の垂下体の各下端を、それぞれに対応するキャビネットの上端よりも低位に配置し、空調吹き出し加圧及び／又はキャビネット吸い込み減圧により、各々の垂下体を前記キャビネット前面に密着させる
ことを特徴とする請求項１記載の空調システム。
【請求項３】
前記第１の垂下体及び前記第２の垂下体の各下端に、ばたつき防止部材を設けてなる
ことを特徴とする請求項１記載の空調システム。
【請求項４】
前記第１の垂下体及び前記第２の垂下体を、それぞれ垂下体素材の巻き出し及び巻き取りが可能な垂下体支持部で支持してなる
ことを特徴とする請求項１記載の空調システム。
【請求項５】
前記第１の垂下体、前記第２の垂下体及び前記水平張架部のうち、少なくとも前記水平張架部を透光性のシートを用いて構成してなる
ことを特徴とする請求項１記載の空調システム。
【請求項６】
前記ばたつき防止部材を磁石で構成し、当該磁石を前記キャビネット前面に磁力で吸着してなる
ことを特徴とする請求項３記載の空調システム。
【請求項７】
前記シートが防火性能及び／又は帯電防止性能を有する塩化ビニルシートである
ことを特徴とする請求項５記載の空調システム。
【請求項８】
前記通路の幅方向において、前記一方の列の支持体と前記他方の列の支持体との間に照明吊り下げ用部材を設け、当該照明吊り下げ用部材を用いて前記水平張架部を支持してなる
ことを特徴とする請求項１記載の空調システム。
【発明の詳細な説明】
【技術分野】
【０００１】
本発明は、例えばデータセンターや通信会社の通信機器室等、サーバー等の機器を集積して設置する施設に適用して好適な空調システムに関する。
【背景技術】
【０００２】
一般に、大型のオフィスビル内にネットワークを構築する場合は、システムの集中管理やスペースの有効活用などの観点から、通信機能を有するサーバー（例えば、プロキシサーバー、ファイルサーバー）などの通信機器を特定の室内（通信機器室、電算機室、コンピュータ室など）にまとめて設置する場合が多い。そうした場合は、各々の通信機器を効率よく収容するためにキャビネットが用いられる。キャビネットの前面には、通信機器を出し入れするための開閉扉が設けられている。また、キャビネットの内部には、通信機器を載せるための棚が設けられている。
【０００３】
通常、サーバー等の通信機器には、発熱源となるＣＰＵ(Central Processing Unit)等の部品やこれを冷却するためのファン、さらには機器内で発生した熱を機外に逃がすための排気ファンなどが組み込まれている。このため、キャビネットに１台又は複数台の通信機器を収容すると、各々の通信機器から排出される熱によってキャビネット内の温度が過度に高くなってしまう。そこで、キャビネットの前面（開閉扉）や背面には通気用の孔（スリット孔、パンチング孔など）が設けられている。キャビネットの前面に設けられた孔は、キャビネット内に空気を取り込むための孔となり、キャビネットの背面に設けられた孔は、キャビネット外に空気を排出するための孔となる。
【０００４】
図１０は従来の空調システムの構成を示すもので、図中（Ａ）はその概略側面図、（Ｂ）はその概略平面図である。図１０においては、空調の対象となる室内空間５０に、複数のキャビネット５１がＸ方向に沿って列状に並んでキャビネット群を構成している。１つのキャビネット５１群は、複数（図例では８つ）のキャビネット５１を、互いに側面を突き合わせてＸ方向に横一列に並べることにより構成されている。室内空間５０には、こうしたキャビネット５１群が複数列にわたって設けられている。
【０００５】
各々のキャビネット５１の前面には開閉扉５１Ａが設けられている。開閉扉５１Ａはキャビネット５１に対して通信機器などの機器類を出し入れするためのものである。開閉扉５１Ａには通気用の孔（不図示）が設けられている。各々のキャビネット５１は、開閉扉５１Ａが通路５２に面する向きで設置されている。また、キャビネット５１の並び方向Ｘと直交する方向Ｙで向かい合う２列のキャビネット５１群は、通路５２を介してキャビネット前面（開閉扉５１Ａ）どうしを対向する向きで設置されている。
【０００６】
キャビネット５１の並び方向Ｘの一方端と他方端には、それぞれ空調機５３が設置されている。図１０（Ａ），（Ｂ）においては、空気の流れを概念的に示すために、便宜上、空調機５３の配置を変えている。空調機５３は冷却用空気を生成するものである。キャビネット５１が設置された床は、コンクリートスラブとの間に床下空間５４を有する二重床構造となっている。通路５２に面する床面には通気用の孔（不図示）が設けられている。このため、空調機５３で生成された冷却用空気は床下空間５４に給気され、そこから通路５２につながる床面の孔を通して上方に吹き出される仕組みになっている。
【０００７】
また、通路５２を挟んで対向する２列のキャビネット５１群の上面には、通路５２の上部空間を遮蔽するかたちで遮蔽体５５が取り付けられている。遮蔽体５５は、キャビネット５１の並び方向Ｘに長い板状の部材で構成されている。また、遮蔽体５５は、キャビネット５１の並び方向Ｘと直交する方向Ｙにおいて、相対向する２列のキャビネット５１の間に架け渡すように配置されている。
【０００８】
上記構成からなる空調システムにおいては、空調機５３で生成された冷却用空気が床下空間５４に給気される。給気された冷却用空気は、床下空間５４を通して通路５２の床面から吹き出す。通路５２に吹き出した冷却用空気は、通路５２に面して配列されたキャビネット５１群において、各々のキャビネット５１の開閉扉５１Ａに設けられた通気用の孔からキャビネット内に取り込まれる。
【０００９】
また、上述した冷却用空気の取り込みと並行して、各々のキャビネット５１の背面からは空気が排出される。キャビネット５１から排出される空気は機器の発熱によって暖められた空気（暖気）となる。この空気は室内空間５０の天井下の空間を通してレターン空気として空調機５３に取り込まれる。この種の空調システムに関する従来技術としては、例えば下記特許文献１に記載された技術が知られている。
【００１０】
【特許文献１】特開２００４−１８４０７０号公報
【発明の開示】
【発明が解決しようとする課題】
【００１１】
しかしながら上記従来の空調システムにおいては、相対向する２列のキャビネット５１群の上面間に遮蔽体５５を架け渡す構成となっているため、２列のキャビネット５１に高低差がある場合には柔軟に対応できないという不具合があった。また、例えば図１１に示すように、相対向する２列のキャビネット５１群の高さが異なる場合は、その高低差に適合する専用の遮蔽体（遮蔽板）５５を用意する必要があった。また、キャビネット５１の入れ替え（更新）に伴って、キャビネット５１相互の高さ関係が変わる場合は、その都度、専用の遮蔽体５５を取り揃える必要があった。さらに、キャビネット５１の上面にボルト等で遮蔽体５５を固定した場合は、設備のメンテナンスや増設等に伴って遮蔽体５５が作業の邪魔になったときに、遮蔽体５５を一旦撤去する必要があり、運用性に劣るという欠点もあった。
【課題を解決するための手段】
【００１２】
請求項１記載の発明は、キャビネット前面から取り込んだ空気をキャビネット背面及び／又はキャビネット上面から排出する機器収容用のキャビネットを、床面を冷却用空気の吹き出し部とした通路を介して前記キャビネット前面どうしを対向する向きで列状に並べて設置してなるキャビネット群と、前記キャビネット群の各列に対応して天井吊り下げ方式で設けられるとともに、前記キャビネット群の列ごとに前記キャビネットの上方に前記キャビネット前面に沿って並行に設けられた支持体と、前記通路を介して対向する２列のキャビネット群に対応する支持体に取り付けられるとともに、前記通路に冷却のための遮蔽空間を形成する遮蔽手段と、前記床面の吹き出し部から吹き出される前記冷却用空気を給気するとともに、前記キャビネット背面及び／又はキャビネット上面から排出される空気をレターン空気として取り込む空調機とを備え、前記遮蔽手段は、前記２列のキャビネット群に対応する支持体のうち、一方の列の支持体から第１のキャビネットに向けて垂直に垂れ下がる第１の垂下体と、他方の列の支持体から第２のキャビネットに向けて垂直に垂れ下がる第２の垂下体と、前記一方の列の支持体と前記他方の列の支持体との間に架け渡された水平張架部とを有することを特徴とする空調システムである。
【００１３】
請求項２記載の発明は、請求項１記載の空調システムにおいて、前記第１の垂下体及び前記第２の垂下体の各下端を、それぞれに対応するキャビネットの上端よりも低位に配置し、空調吹き出し加圧及び／又はキャビネット吸い込み減圧により、各々の垂下体を前記キャビネット前面に密着させることを特徴とする。
【００１４】
請求項３記載の発明は、請求項１記載の空調システムにおいて、前記第１の垂下体及び前記第２の垂下体の各下端に、ばたつき防止部材を設けてなることを特徴とする。
【００１５】
請求項４記載の発明は、請求項１記載の空調システムにおいて、前記第１の垂下体及び前記第２の垂下体を、それぞれ垂下体素材の巻き出し及び巻き取りが可能な垂下体支持部で支持してなることを特徴とする。
【００１６】
請求項５記載の発明は、請求項１記載の空調システムにおいて、前記第１の垂下体、前記第２の垂下体及び前記水平張架部のうち、少なくとも前記水平張架部を透光性のシートを用いて構成してなることを特徴とする。
【００１７】
請求項６記載の発明は、請求項３記載の空調システムにおいて、前記ばたつき防止部材を磁石で構成し、当該磁石を前記キャビネット前面に磁力で吸着してなることを特徴とする。
【００１８】
請求項７記載の発明は、請求項５記載の空調システムにおいて、前記シートが防火性能及び／又は帯電防止性能を有する塩化ビニルシートであることを特徴とする。
【００１９】
請求項８記載の発明は、請求項１記載の空調システムにおいて、前記通路の幅方向において、前記一方の列の支持体と前記他方の列の支持体との間に照明吊り下げ用部材を設け、当該照明吊り下げ用部材を用いて前記水平張架部を支持してなることを特徴とする。
【発明の効果】
【００２０】
請求項１記載の発明によれば、キャビネットの高さに依存することなく、冷却のための遮蔽空間を簡易に形成することができる。また、キャビネットの高低差や更新などにも柔軟に対応することができる。さらに、遮蔽手段の移動や取り外しが容易になるため、運用性が向上する。また、支持体を利用して遮蔽手段を設置するため、コストが安く設置作業も楽になる。
【００２１】
請求項２記載の発明によれば、遮蔽空間からの無駄な冷却用空気の漏洩を抑制し、高い冷却効果を得ることができる。
【００２２】
請求項３記載の発明によれば、キャビネットと垂下体との密着性を高めることができる。
【００２３】
請求項４記載の発明によれば、キャビネットの高さに合わせて垂下体の長さを自在に調整することができる。また、垂下体が邪魔になった場合は、これを素早く収納することができる。
【００２４】
請求項５記載の発明によれば、第１の垂下体、第２の垂下体及び水平張架部を有する遮光手段を用いて通路に冷却のための遮蔽空間を形成しても、照明の光を通路内に導入することができる。
【００２５】
請求項６記載の発明によれば、磁石の吸着力を利用して、キャビネットと垂下体との密着性をより一層高めることができる。また、垂下体の下端をキャビネット前面に簡易に固定することができる。
【００２６】
請求項７記載の発明によれば、第１の垂下体、第２の垂下体及び水平張架部を有する遮光手段を設置するにあたって、設備コストを安く抑えることができる。また、防火性能を有する塩化ビニルシートを用いた場合は、万一の火災発生時に延焼を抑えることができ、帯電防止性能を有する塩化ビニルシートを用いた場合は、静電気の発生を有効に防止して、機器への影響を回避することができる。
【００２７】
請求項８記載の発明によれば、幅広の通路であっても、一方の列の支持体と他方の列の支持体との間に水平張架部を弛みなく張設することができる。また、照明吊り下げ用部材に照明を取り付けることで、通路内を明るく照らすことができる。
【発明を実施するための最良の形態】
【００２８】
以下、本発明の具体的な実施の形態について図面を参照しつつ詳細に説明する。
【００２９】
図１は本発明の実施形態に係る空調システムの構成を示すもので、図中（Ａ）はその概略側面図、（Ｂ）はその概略平面図である。図１においては、空調の対象となる室内空間１０に、複数のキャビネット１１がＸ方向に沿って列状に並んでキャビネット群を構成している。１つのキャビネット１１群は、複数（図例では８つ）のキャビネット１１を、互いに側面を突き合わせてＸ方向に横一列に並べることにより構成されている。室内空間１０には、こうしたキャビネット１１群が複数列にわたって設けられている。
【００３０】
各々のキャビネット１１の前面には開閉扉１１Ａが設けられている。開閉扉１１Ａはキャビネット１１に対して通信機器などの機器類を出し入れするためのものである。キャビネット５１の前面を形成する開閉扉１１Ａには通気用の孔（不図示）が設けられ、キャビネット１１の背面にも通気用の孔（不図示）が設けられている。
【００３１】
キャビネット１１の前面に設けられた孔は、キャビネット１１内に空気を取り込むための吸気孔となり、キャビネット１１の背面に設けられた孔は、キャビネット１１外に空気を排出するための排気孔となる。各々のキャビネット１１の背面側には、図示しないファンが取り付けられている。このファンは、キャビネット１１内への空気の取り込みや、キャビネット１外への空気の排出を効率良く行なうために、必要に応じて設けられるものである。
【００３２】
なお、本実施形態においては、キャビネット１１の構成として、キャビネット前面から取り込んだ空気をキャビネット背面から排出するものとするが、本発明はこれに限らず、キャビネット前面から取り込んだ空気をキャビネット上面から排出するものでもよい。また、キャビネット前面から取り込んだ空気を、キャビネット背面及びキャビネット上面の両方から排出するものでもよい。
【００３３】
各々のキャビネット１１は、開閉扉１１Ａが通路１２に面する向きで設置されている。また、キャビネット１１の並び方向Ｘと直交する方向Ｙで向かい合う２列のキャビネット１１群は、通路１２を介してキャビネット前面（開閉扉１１Ａ）どうしを対向する向きで設置されている。
【００３４】
キャビネット１１の並び方向Ｘの一方端と他方端には、それぞれ空調機１３が設置されている。空調機１３は片側に１台だけ設置してもよい。図１（Ａ），（Ｂ）においては、空気の流れを概念的に示すために、便宜上、空調機１３の配置を変えている。空調機１３は冷却用空気を生成するものである。キャビネット１１が設置された床は、コンクリートスラブとの間に床下空間１４を有する二重床構造となっている。通路１２に面する床面には、例えば当該床面をグレーチング、パンチングメタル等で構成することにより、通気用の孔（不図示）が設けられている。このため、空調機１３で生成された冷却用空気は床下空間１４に給気され、そこから通路１２につながる床面の孔を通して上方に吹き出される仕組みになっている。つまり、本発明の実施形態に係る空調システムは、通路１２の床面を冷却用空気の吹き出し部とした床吹き出し式の空調システムとなっている。
【００３５】
一方、天井下の空間にはケーブルラック１５が設けられている。ケーブルラック１５は、後述する遮蔽手段を支持するための支持体として、キャビネット１１群の各列に対応して設置されている。ケーブルラック１５は、キャビネット１１内に収容された機器や他の機器を動作させるために必要な電源ケーブルやネットワークケーブルなど、各種のケーブルを配線（支持・固定）するために用いられるものである。ケーブルラック１５は、キャビネット１１の並び方向Ｘに長い梯子形の部材を用いて構成されている。
【００３６】
ケーブルラック１５は、室内空間１０を区画する天井面よりも低位で、かつ最も高さの高いキャビネット１１の上面よりも高位に、天井吊り下げ方式で設けられている。具体的には、例えば図２にも示すように、室内空間１０の天井面に棒状の吊り金具１６を取り付けるとともに、この吊り金具１６を天井面から床面に向けて垂れ下げた状態にして、吊り金具１６の下端部にケーブルラック１５を取り付けることにより、天井からの吊り下げ構造でケーブルラック１５を床面と平行（水平状態）に支持している。各々のケーブルラック１５は、キャビネット１１群の列ごとにキャビネット１１の上方にキャビネット前面（開閉扉１１Ａ）に沿って並行に設けられている。
【００３７】
また、相対向する２列のキャビネット１１群に対応するケーブルラック１５には、第１の垂下体となる第１の垂直カーテン部２１、第２の垂下体となる第２の垂直カーテン部２２、水平張架部となる水平カーテン部２３及び端部垂直カーテン部２４を含む遮蔽手段が取り付けられている。この遮蔽手段は、２列のキャビネット１１群が向かい合う通路１２に冷却のための遮蔽空間（以下、「コールドアイル」とも記す）を形成するものである。第１の垂直カーテン部２１、第２の垂直カーテン部２２及び水平カーテン部２３のうち、少なくとも水平カーテン部２３に関しては、室内空間１０の天井面に取り付けられた照明からの光を透過するように、高い透光性を有するシート、好ましくは透明で防火性能及び／又は帯電防止性能を持ったシートを用いて構成することが望ましい。また、各々のカーテン部２１，２２，２３をシートで構成する場合は、設備コスト的な観点から、安価に入手可能である塩化ビニルシートを用いることが望ましい。水平張架部に関しては、カーテン以外のもの、例えばパネル等を用いて構成してもよい。
【００３８】
第１の垂直カーテン部２１及び第２の垂直カーテン部２２は、通路１２の両側で、それぞれケーブルラック１５とキャビネット１１との間を遮蔽するものである。水平カーテン部２３は、通路１２の上方を遮蔽するものである。端部垂直カーテン部２４は、通路１２の端部を遮蔽するものである。
【００３９】
第１の垂直カーテン部２１は、当該第１の垂直カーテン部２１に対応する第１のキャビネット１１−１に向けて、一方の列のケーブルラック１５から垂直に垂れ下がっている。第１の垂直カーテン部２１は、当該第１の垂直カーテン部２１が取り付けられるケーブルラック１５とその直下に設置される第１のキャビネット１１−１との間に隙間が生じないように、そこを塞ぐかたちでケーブルラック１５から第１のキャビネット１１−１に向けて垂直に垂れ下がっている。
【００４０】
第２の垂直カーテン部２２は、当該第２の垂直カーテン部２２に対応する第２のキャビネット１１−２に向けて、他方の列のケーブルラック１５から垂直に垂れ下がっている。第２の垂直カーテン部２２は、当該第２の垂直カーテン部２２が取り付けられるケーブルラック１５とその直下に設置される第２のキャビネット１１−２との間に隙間が生じないように、そこを塞ぐかたちでケーブルラック１５から第２のキャビネット１１−２に向けて垂直に垂れ下がっている。
【００４１】
第１のキャビネット１１−１と第２のキャビネット１１−２は、互いにキャビネットの高さが異なっている。すなわち、第１のキャビネット１１−１の高さに比較して、第２のキャビネット１１−２の高さはそれよりも低くなっている。このため、第１の垂直カーテン部２１の長さは、これに対応する第１のキャビネット１１−１の高さに合わせた寸法に設定され、第２の垂直カーテン部２２の長さは、これに対応する第２のキャビネット１１−２の高さに合わせた寸法に設定されている。
【００４２】
こうしたキャビネット１１−１，１１−２の高低差に対応して、ケーブルラック１５の取り付け位置を基準とした第１の垂直カーテン部２１の垂れ下がり長さは、第２の垂直カーテン部２２の垂れ下がり長さよりも短くなっている。そして、第１の垂直カーテン部２１の下端は、第１のキャビネット１１−１の上端よりも所定寸法だけ低位に配置され、第２の垂直カーテン部２２の下端は、第２のキャビネット１１−２の上端よりも所定寸法だけ低位に配置されている。ここで記述する所定寸法とは、各々のキャビネット１１−１，１１−２の開閉扉１１Ａを開閉操作するときに大きな障害とならない程度の寸法（例えば、５ｃｍ〜１０ｃｍほど）をいう。この程度の寸法であれば、垂直カーテン部２１，２２の下端を持ち上げることで、開閉扉１１Ａの開閉操作を行なうことができる。
【００４３】
また、第１の垂直カーテン部２１及び第２の垂直カーテン部２２の各下端は、通路１２の幅方向（Ｙ方向）において、それぞれに対応するキャビネット１１−１，１１−２の前面（開閉扉１１Ａ）に面して、当該キャビネット前面に近接する状態に配置されている。
【００４４】
水平カーテン部２３は、相対応する２列のケーブルラック１５の間を架け渡すかたちで水平に張架されている。端部垂直カーテン部２４は、キャビネット１１群の並び方向Ｘの両端部で、それぞれケーブルラック１５から床面に向けて垂直に垂れ下がっている。
【００４５】
これにより、相対応する２列のキャビネット１１群が向かい合う通路１２には、第１の垂直カーテン部２１、第２の垂直カーテン部２２、水平カーテン部２３及び端部垂直カーテン部２４により、チャンバー化された状態のコールドアイルが区画形成される。ただし、コールドアイルチャンバーを形成するうえでは、端部垂直カーテン部２４は必須の要件ではない。例えば、図示はしないが、端部垂直カーテン部２４に代えて、人が出入りするためのドア付きの壁又はドア無しの壁で通路１２の端部を塞いでもよい。
【００４６】
上記２列のケーブルラック１５に遮蔽手段（第１の垂直カーテン部２１、第２の垂直カーテン部２２、水平カーテン部２３を含む）を取り付けるにあたっては、図３及び図４に示すように、Ｌ型のアングル（以下、「Ｌアングル」と記す）２５を利用することができる。Ｌアングル２５は、垂直部と水平部を一体に有する長尺状の部材（例えば、アルミニウム製）によって構成されている。Ｌアングル２５の長さは、キャビネット１１群の並び方向Ｘの設置長さに合わせて、当該設置長さよりも若干（例えば、数ｃｍ〜十数ｃｍ）長めに設定されている。Ｌアングル２５の垂直部は、例えばネジやボルト等を用いてケーブルラック１５に固定されている。また、相対応する２列のケーブルラック１５に固定された２列のＬアングル２５は、互いの水平部を向かい合わせた状態で対向配置されている。
【００４７】
第１の垂直カーテン部２１は、Ｌアングル２５の水平部の下面に設けられたカーテン支持部２６に支持され、このカーテン支持部２６から垂直に垂れ下がる状態で取り付けられている。同様に、第２の垂直カーテン部２２は、Ｌアングル２５の水平部の下面に設けられたカーテン支持部２６に支持され、このカーテン支持部２６から垂直に垂れ下がる状態で取り付けられている。
【００４８】
水平カーテン部２３は、相対応する２列のＬアングル２５の水平部の上面にネジ等を用いて取り付けられている。端部垂直カーテン部２４は、相対応する２列のＬアングル２５の長手方向の端部にネジ等を用いて取り付けられている。端部垂直カーテン部２４に関しては、例えば、Ｌアングル２５の端部でカーテンの向き（姿勢）を水平から垂直に変えることにより、水平カーテン部２３から一体に延在させて構成することも可能である。
【００４９】
第１の垂直カーテン部２１及び第２の垂直カーテン部２２に関しては、それぞれに対応するキャビネット１１−１，１１−２の高さに合わせて、これに適合する寸法（長さ）に裁断したシートを使用して設置すればよい。水平カーテン部２３に関しては、通路１２の幅や長さに合わせて、これに適合する寸法に裁断したシートを使用して設置すればよい。端部垂直カーテン部２４に関しては、通路１２の幅やコールドアイルの高さに合わせて、これに適合する寸法に裁断したシートを使用して設置すればよい。
【００５０】
上記構成からなる空調システムにおいては、空調機１３で生成された冷却用空気が床下空間１４に給気される。給気された冷却用空気は、床下空間１４を通して通路１２の床面から吹き出す。通路１２に吹き出した冷却用空気は、通路１２に面して配列されたキャビネット１１群において、各々のキャビネット１１の開閉扉１１Ａに設けられた通気用の孔からキャビネット内に取り込まれる。
【００５１】
また、上述した冷却用空気の取り込みと並行して、各々のキャビネット１１の背面からは空気が排出される。キャビネット１１から排出される空気は機器の発熱によって暖められた空気（暖気）となる。この空気は室内空間１０の天井下の空間又は図示しないダクトを通してレターン空気として空調機空調機１３に取り込まれる。
【００５２】
これにより、キャビネット１１内の温度上昇が抑制されるとともに、キャビネット１１に収容された機器が冷却される。また、２列のケーブルラック１５を用いて設置された第１の垂直カーテン部２１、第２の垂直カーテン部２２、水平カーテン部２３及び端部垂直カーテン部２４により、通路１２にコールドアイルを区画形成しているため、床面からの冷却用空気の吹き出しにより、コールドアイル全体に圧力がかかる状態を作り出し、キャビネット１１の前面から背面に向けて自然な空気の流れを作り出すことができる。
【００５３】
また、コールドアイルをチャンバー化したことで、コールドアイル内部の圧力分布が均一化されるため、各々のキャビネット１１に対して冷却用空気を均等に分配・供給することができる。さらに、各々のキャビネット１１から排出された空気（暖気）がコールドアイル内に逆流することがないため、高い冷却効果が得られる。
【００５４】
また、室内空間１０にキャビネット１１を設置するにあたっては、例えばユーザーの都合や、キャビネットに収容する機器の都合などにより、全てのキャビネットの仕様（特に、高さ寸法）を共通化することが難しい。例えば、キャビネットに関しては、ユーザーが直接持ち込むケースも多い。また、キャビネットの更新に伴い、相対応する２列のキャビネット群のうちの一方を、それまでとは異なる仕様のキャビネットに入れ替える場合もある。
【００５５】
そうした場合、従来の遮蔽体（遮蔽板）を用いる技術では、キャビネットの高さに合わせた専用の遮蔽体を取り揃える必要があるが、上記実施形態に係る空調システムのように、コールドアイルを区画する遮蔽手段を、第１の垂直カーテン部２１、第２の垂直カーテン部２２及び水平カーテン部２３を用いて構成すれば、遮蔽のための部材コストが安くなるだけでなく、キャビネットの仕様の違いや更新などに柔軟に対応することができる。
【００５６】
すなわち、キャビネット１１−１，１１−２の高低差への対応としては、それぞれに対応するキャビネット１１−１，１１−２の高さに合わせて、第１の垂直カーテン部２１及び第２の垂直カーテン部２２の長さを調整することにより対応可能である。また、キャビネットの更新時には、更新後のキャビネットの高さに合わせて、第１の垂直カーテン部２１及び／又は第２の垂直カーテン部２２の長さを調整することにより対応可能である。
【００５７】
また、コールドアイルを区画するために設置したカーテンが邪魔になる場合は、邪魔にならない位置にカーテンを一旦移動したり、必要に応じてカーテンを取り外したりすることが容易に行なえるようになる。このため、遮蔽体（遮蔽板）を用いる場合に比較して、運用性が向上する。
【００５８】
さらに、遮蔽手段となるカーテンを設置するのに、キャビネット１１や機器の設置に必要となるケーブルラック１５を利用しているため、ケーブルラック１５とは別にカーテンを天井から吊り下げる場合に比較して、遮蔽手段の設置作業が容易になる。また、室内空間１０の天井面からカーテンを垂直に垂れ下げて遮蔽空間を形成した場合は、吊り下げ位置（天井）からキャビネットまでの長さが長くなり、これに伴ってカーテンの長さも長くなるため、通路１２の上方に無駄な空間が形成され、冷却効率が低下してしまうが、前述のように天井から吊り下げたケーブルラック１５を利用してカーテンを設置すれば、キャビネットに近い位置に垂直カーテン部２１，２２を取り付けることができるため、そうした不具合を回避することができる。
【００５９】
また、第１の垂直カーテン部２１及び第２の垂直カーテン部２２のうち、例えば第１の垂直カーテン部２１に関して、図５に示すように、第１の垂直カーテン部２１の下端を、第１のキャビネット１１−１の上端よりも低位に配置し、床面からの冷却用空気の吹き出しによって得られる空調吹き出し加圧Ｐ１により、第１の垂直カーテン部２１をキャビネット前面（開閉扉１１Ａ）に密着させることにより、遮蔽空間（コールドアイル）からの無駄な冷却用空気の漏洩を抑制し、高い冷却効果を得ることができる。
【００６０】
また、第１のキャビネット１１−１内に排気ファン１７を設けた場合は、開閉扉１１Ａに設けた通気用の孔１８を幾らか塞ぐ位置まで第１の垂直カーテン部２１の下端を垂れ下げ、排気ファン１７の回転によってキャビネット１１−１内に得られるキャビネット吸い込み減圧Ｐ２により、第１の垂直カーテン部２１をキャビネット前面（開閉扉１１Ａ）に密着させる構成としてもよい。さらには、上記空調吹き出し加圧Ｐ１とキャビネット吸い込み減圧Ｐ２の両方を同時に第１の垂直カーテン部２１に作用させることにより、第１の垂直カーテン部２１をキャビネット前面に密着させる構成としてもよい。以上の構成は、第２の垂直カーテン部２２に関しても、同様に採用可能である。
【００６１】
また、各々の垂直カーテン部２１，２２の長さに関しては、前述したようにカーテン素材となるシートの裁断によって調整してもよいが、本発明の第１応用例として、例えば図６に示すように、第１の垂直カーテン部２１及び第２の垂直カーテン部２２を、それぞれ垂下体素材となるカーテンの巻き出し及び巻き取りが可能なカーテン支持部（垂下体支持部）２６で支持する構成を採用してもよい。
【００６２】
カーテン支持部２６は、Ｌアングル２５に直付けされる箱形のケース２７内に巻芯２８を設け、この巻芯２８に垂直カーテン部２１，２２を形成するカーテン（透明シート等）２９を巻き付けた構造となっている。巻芯２８の回転は、図示しない巻き取りスプリングによってカーテンを巻き取る方向に付勢されるとともに、当該巻き取り方向への回転が図示しないロック機構又はストッパー機構によって規制されている。つまり、カーテン支持部２６は、周知のロールカーテン構造を有するものとなっている。
【００６３】
このようなロールカーテン構造を有するカーテン支持部２６を用いて、第１の垂直カーテン部２１や第２の垂直カーテン部２２を支持することにより、キャビネットの高さに合わせて垂直カーテン部２１，２２の長さを簡単かつ自在に調整することができる。また、機器のメンテナンスや更新などで第１の垂直カーテン部２１や第２の垂直カーテン部２２が邪魔になった場合は、カーテン支持部２６にカーテン２９を巻き取ることにより、それらの垂直カーテン部２１，２２を素早く収納することができる。そして、メンテナンスや更新を終えた後は、カーテン支持部２６からカーテン２９を巻き出すことにより、簡単に元の状態に戻すことができる。
【００６４】
また、本発明の第２応用例として、例えば図７に示すように、第１の垂直カーテン部２１及び第２の垂直カーテン部２２の各下端に、カーテンのばたつきを防止する「ばたつき防止部材」として錘体３０を設けるようにしてもよい。錘体３０は、例えば接着剤等を用いてカーテンの表面に取り付けられるものである。錘体３０は、好ましくは、キャビネット１１の並び方向Ｘに細長い棒状の部材によって構成されるものである。カーテンが非常に薄い場合は、棒状の錘体３０にカーテンの下端部を巻き付けて固定してもよい。このように各々の垂直カーテン部２１，２２の下端に錘体３０を設けることにより、錘体３０に作用する重力でカーテンのばたつきが抑えられる。このため、キャビネット１１と垂直カーテン部２１，２２との密着性を高めることができる。
【００６５】
また、キャビネット１１の前面を形成する開閉扉１１Ａが、磁性体となるステンレス等の金属板で構成されている場合は、本発明の第３応用例として、図８に示すように、「ばたつき防止部材」として、各々の垂直カーテン部２１，２２の下端部に磁石３１を設け、この磁石３１をキャビネット前面に磁力で吸着させた構成としてもよい。磁石３１は、カーテンと別体で設けてもよいし、カーテンに接着剤等で固定することでカーテンと一体に設けてもよい。ばたつき防止部材を磁石３１で構成した場合は、単に錘体３０の重みを利用してカーテンを垂れ下げた場合に比較して、カーテンのばたつき防止効果が大きくなるとともに、カーテンを挟み込む状態で錘体３１をキャビネット前面に吸着させることで、カーテンの下端をキャビネット前面に隙間なく密着させることができる。このため、キャビネット１１と垂直カーテン部２１，２２との密着性をより一層高めることができる。また、各々の垂直カーテン部２１，２３の下端をキャビネット前面に簡易に固定することができる。
【００６６】
また、本発明の第４応用例として、例えば図９に示すように、通路１２の幅方向において、相対応する２列のケーブルラック１５の間（好ましく中間）に照明吊り下げ用部材３２を設け、この照明吊り下げ用部材３２で水平カーテン部２３を支持した構成を採用してもよい。照明吊り下げ用部材３２の下端部には、照明３３が取り付けられている。かかる構成を採用することにより、幅広の通路１２であっても、一方の列のケーブルラック１５と他方の列のケーブルラック１５との間に水平カーテン部２３を弛みなく張設することができる。また、照明吊り下げ用部材３２に照明３３を取り付けることで、通路１２内を明るく照らすことができる。
【図面の簡単な説明】
【００６７】
【図１】本発明の実施形態に係る空調システムの構成を示す図（その１）である。
【図２】本発明の実施形態に係る空調システムの構成を示す図（その２）である。
【図３】カーテン取り付け構造の一例を示す概略側面図である。
【図４】カーテン取り付け構造の一例を示す概略平面図である。
【図５】垂直カーテン部をキャビネット前面に密着させた状態を説明する図である。
【図６】本発明の第１応用例を説明する図である。
【図７】本発明の第２応用例を説明する図である。
【図８】本発明の第３応用例を説明する図である。
【図９】本発明の第４応用例を説明する図である。
【図１０】従来の空調システムの構成を示す図である。
【図１１】従来の空調システムの課題を説明するための図である。
【符号の説明】
【００６８】
１０…室内空間、１１…キャビネット、１２…通路、１３…空調機、１５…ケーブルラック、２１…第１の垂直カーテン部、２２…第２の垂直カーテン部、２３…水平カーテン部、２４…端部垂直カーテン部、２５…Ｌアングル、２６…カーテン支持部、３０…錘体、３１…磁石、３２…照明吊り下げ用部材、３３…照明
【図１】
0004843578.tif 000002
【図２】
0004843578.tif 000003
【図３】
0004843578.tif 000004
【図４】
0004843578.tif 000005
【図５】
0004843578.tif 000006
【図６】
0004843578.tif 000007
【図７】
0004843578.tif 000008
【図８】
0004843578.tif 000009
【図９】
0004843578.tif 000010
【図１０】
0004843578.tif 000011
【図１１】
0004843578.tif 000012